(57)【要約】  表示装置は、開閉可能な複数の筐体と、複数の筐体にそれぞれ設けられた複数の表示部と、複数の筐体の開閉角度を検出する開閉角度検出部とを具備する。表示装置は、複数の画像が連続した平面画像として視認されるように複数の筐体の開閉角度に応じて複数の画像に対して変形処理を実行する。また、表示装置は縦置姿勢や横置姿勢に応じて変形処理を切り替える。更に、表示装置に対するユーザの特定箇所の位置に応じて複数の画像を補正するようにしてもよい。
2015053188.tif 000002
【特許請求の範囲】
【請求項１】
開閉可能な複数の筐体と、
前記複数の筐体にそれぞれ設けられた複数の表示部と、
前記複数の筐体の開閉角度を検出する開閉角度検出部と、
前記複数の表示部がそれぞれ表示する複数の画像が連続した平面画像として視認されるように前記開閉角度検出部が検出した開閉角度に応じて複数の画像に変形処理を行なう制御部とを具備する表示装置。
【請求項２】
前記制御部は、前記複数の筐体の開閉操作の中心からの距離に応じて複数の画像の変形率を変更するようにした請求項１記載の表示装置。
【請求項３】
前記複数の表示部は、前記複数の筐体を閉じたときに外側に位置するようにした請求項１又は２記載の表示装置。
【請求項４】
前記制御部は、複数の画像のうち少なくとも１つの画像を変形処理した結果空いた表示スペースに所定のアプリケーションを表示するか、或いは、当該表示スペースを非表示領域とするようにした請求項１乃至請求項３のいずれかに記載の表示装置。
【請求項５】
ユーザの特定箇所の位置を検出する位置検出部を更に具備し、
前記制御部は、前記位置検出部が検出したユーザの位置において前記複数の表示部が表示する複数の画像が連続した平面画像として視認できるように補正処理を行なうようにした請求項１乃至請求項４のいずれかに記載の表示装置。
【請求項６】
前記複数の筐体の姿勢を検出する姿勢検出部を更に具備し、
前記制御部は、前記複数の筐体が垂直方向に並べられた縦置姿勢と前記複数の筐体が水平方向に並べられた横置姿勢とで複数の画像に対する変形処理を切り替えるようにした請求項１乃至請求項５のいずれかに記載の表示装置。
【請求項７】
前記制御部は、前記複数の表示部に表示された複数の画像に対するスクロール操作の方向を変形処理に応じて変更するようにした請求項１乃至請求項６のいずれかに記載の表示装置。
【請求項８】
前記制御部は、前記複数の表示部に表示される複数の画像に対してスクロール操作の方向を報知する情報を重複して表示するようにした請求項７記載の表示装置。
【請求項９】
開閉可能な複数の筐体にそれぞれ設けられた複数の表示部にて表示される複数の画像に適用される画像変形方法であって、
前記複数の筐体の開閉角度を検出し、
前記複数の表示部がそれぞれ表示する複数の画像が連続した平面画像として視認されるように開閉角度に応じて複数の画像に変形処理を行なうようにした画像変形方法。
【請求項１０】
開閉可能な複数の筐体にそれぞれ設けられた複数の表示部にて表示される複数の画像に対して変形処理を実行するプログラムであって、
前記複数の筐体の開閉角度を検出し、
前記複数の表示部がそれぞれ表示する複数の画像が連続した平面画像として視認されるように開閉角度に応じて複数の画像に変形処理を行なうようにしたプログラム。
【発明の詳細な説明】
【技術分野】
【０００１】
本発明は、複数の表示部を有する表示装置に関し、特に、複数の表示部により連続的に表示される画像の補正を行う画像補正方法に関する。
本願は、２０１３年１０月１０日に日本国に出願された特願２０１３−２１２８３４号に基づき優先権を主張し、その内容をここに援用する。
【背景技術】
【０００２】
従来、複数の表示部を備えて連続的に画像を表示する表示装置が開発されている。例えば、開閉自在な２つの筐体に表示部をそれぞれ設けて２画面構成とした表示装置が開発されている。特許文献１は「情報端末装置」を開示しており、折り畳み式携帯情報端末において複数の表示部の開閉角度に応じて画像情報を処理するものである。特許文献２は「表示装置」を開示しており、電子ブックにおいて２つの表示部の開閉角度の変化に応じて画像の拡大縮小率及び表示方向を変更するものである。特許文献３は「表示装置」を開示しており、移動体通信装置において２画面を用いて３Ｄ表示するときに上下・左右の開角度に応じて視覚を算出して３Ｄ表示に用いるパラメータを変更するものである。特許文献４は「情報処理装置」を開示しており、情報処理装置においてカメラで撮影した画像に対して顔認証処理を実行するときに基準軸に対する回転角度に従って画像を表示するものである。特許文献５は「折畳み式携帯端末」を開示しており２つの表示部を連続して並べて画像を表示するものである。特許文献６は「表示装置」を開示しており、フレキシブル表示パネルを折り畳み状態から展開状態に移行させるときに筐体に対する表示パネルのズレを防止するものである。
【先行技術文献】
【特許文献】
【０００３】
【特許文献１】特開平１１−８５１０８号公報
【特許文献２】特開２００９−２２２９５１号公報
【特許文献３】特開２０１１−１０７７１１号公報
【特許文献４】特開２０１２−４７９８号公報
【特許文献５】特開２０１２−１１４７３９号公報
【特許文献６】特開２０１３−５０５４７号公報
【発明の概要】
【発明が解決しようとする課題】
【０００４】
特許文献１の表示装置では、２つの筐体の開閉角度が小さい場合に表示画面が見づらくなることを避けるために、開閉角度に応じて画像を縦方向や横方向に拡大や縮小して表示している。これにより、ユーザが表示画面を斜めから眺めている場合に文字や画像の縦横比が不自然となって見えにくくなることを避けることができる。しかし、特許文献１の表示装置では画面毎に画像を変形するため、２画面を用いて１つの画像を表示するような場合に視認性が低下するという問題点がある。例えば、２画面を用いて１つの画像を表示する場合、開閉角度によっては２つの筐体を接続するヒンジ部を境に画面が屈曲することがある。このような状態で画像をスクロールさせるとユーザに酔いが発生することがある。つまり、複数の画面で画像を表示するときに良好な視認性を確保することは困難である。【０００５】
本発明は上記の課題を解決するためになされたものであり、複数の表示部にて連続的に画像を表示するときに当該画像を補正して視認性を向上することができる表示装置及び画像補正方法を提供することを目的とする。
【課題を解決するための手段】
【０００６】
本発明の第１形態は表示装置であり、開閉可能な複数の筐体と、複数の筐体にそれぞれ設けられた複数の表示部と、複数の筐体の開閉角度を検出する開閉角度検出部と、複数の表示部がそれぞれ表示する複数の画像が連続した平面画像として視認されるように前記開閉角度検出部が検出した開閉角度に応じて複数の画像に変形処理を行なう制御部とを具備する。【０００７】
本発明の第２形態は開閉可能な複数の筐体にそれぞれ設けられた複数の表示部にて表示される複数の画像に適用される画像変形方法であり、複数の筐体の開閉角度を検出し、複数の表示部がそれぞれ表示する複数の画像が連続した平面画像として視認されるように開閉角度に応じて複数の画像に変形処理を行なう。【０００８】
本発明の第３形態は開閉可能な複数の筐体にそれぞれ設けられた複数の表示部にて表示される複数の画像に対して変形処理を実行するプログラムであり、複数の筐体の開閉角度を検出し、複数の表示部がそれぞれ表示する複数の画像が連続した平面画像として視認されるように開閉角度に応じて複数の画像に変形処理を行なう。
【発明の効果】
【０００９】
本発明によれば、開閉可能な２つの表示部が表示する２つの画像を連続した平面画像として視認し得るように２つの表示部の開閉角度に応じて画像変形処理が実行される。また、２つの表示部に対するユーザの視認位置により表示画像が屈曲されるような場合でも自動的に補正されてユーザは２つの画像を連続した平面画像として視認することができ、ユーザの視認性を向上することができる。
【図面の簡単な説明】
【００１０】
【図１】本発明の一実施例に係る表示装置の構成を示すブロック図である。
【図２】本発明の一実施例に係る表示装置の外観を示す側面図である。
【図３】２つの筐体を１８０度開いたときの表示装置の外観を示す側面図である。
【図４】２つの筐体を２２５度開いたときの表示装置の外観を示す側面図である。
【図５】縦置姿勢の表示装置の開閉角度を１８０度以上としたときの当該表示装置の外観及び表示画像を模式的に示した図である。
【図６】表示装置において変形処理前の画像を示す図である。
【図７】縦置姿勢の表示装置の開閉角度を１８０度としたときの表示画像を示す図である。
【図８】横置姿勢の表示装置の開閉角度を１８０度以上としたときの当該表示装置の外観及び表示画像を模式的に示した図である。
【図９】表示装置において変形処理前の画像を示す図である。
【図１０】横置姿勢の表示装置の開閉角度を１８０度としたときの表示画像を示す図である。
【図１１】図５に示す縦置姿勢の表示装置のカメラからみた左右方向に移動するユーザの位置を模式的に示した図である。
【図１２】図５に示す縦置姿勢の表示装置のカメラにより撮像した左右方向に移動するユーザの画像を模式的に示した図である。
【図１３】図５に示す縦置姿勢の表示装置に表示される画像をユーザの横方向の移動に応じて補正する処理を説明するための図である。
【図１４】図８に示す横置姿勢の表示装置のカメラからみた上下方向に移動するユーザの位置を模式的に示した図である。
【図１５】図８に示す横置姿勢の表示装置のカメラにより撮像した上下方向に移動するユーザの画像を模式的に示した図である。
【図１６】図８に示す横置姿勢の表示装置に表示される画像をユーザの縦方向の移動に応じて補正する処理を説明するための図である。
【発明を実施するための形態】
【００１１】
本発明に係る表示装置について実施例とともに添付図面を参照して詳細に説明する。図１は、本発明の一実施例に係る表示装置１の構成を示すブロック図である。図２乃至図４は表示装置１の外観を示す側面図である。表示装置１は、筐体１１、表示部１２、筐体１３、表示部１４、開閉角度検出部１５、及び制御部１６を備えている。
【００１２】
図２乃至図４に示すように、筐体１１及び筐体１３はヒンジ部１７を介して開閉自在に連結されている。図２は筐体１１、１３を閉じたときの表示装置１を示し、図３は筐体１１、１３を１８０度開いたときの表示装置１を示し、図４は筐体１１、１３を２２５度開いたときの表示装置１を示している。また、筐体１１は表示部１２を備え、筐体１３は表示部１４を備えている。更に、筐体１１、１３のいずれか一方又は双方に開閉角度検出部１５と制御部１６とを備えている。
【００１３】
表示部１２及び表示部１４は液晶パネルからなる表示装置である。表示部１２、１４は制御部１６から供給される制御信号に従って画像を表示する。図２に示すように、筐体１１、１３を閉じたときに表示部１２、１４を表示装置１の外側に向けることができる。
【００１４】
開閉角度検出部１５は、２つの筐体１１、１３の開閉角度を検出する。例えば、開閉角度検出部１５を２つの地磁気センサを用いて構成することができる。即ち、筐体１１、１３の夫々に地磁気センサを搭載する。各地磁気センサはヒンジ部１７となす角度を検出する。制御部１６は２つの地磁気センサが検出した２つの角度に基づいて筐体１１、１３間の角度を算出する。例えば、筐体１１、１３のなす角度を５度刻みで検出するようにしてもよい。尚、筐体１１、１３間の角度の検出方法は上記の地磁気センサを用いた方法に限定されるものではなく、公知の角度検出技術を採用してもよい。
【００１５】
制御部１６はＣＰＵ（中央処理装置）及び揮発性又は不揮発性の記憶装置を備えて構成することができる。例えば、制御部１６は不揮発性記憶装置に記憶されている画像情報に基づいて表示部１２及び表示部１４に画像を表示する。その際、制御部１６は表示部１２、１４が表示する２つの画像が連続した平面画像として視認し得るように開閉角度検出部１５が検出した筐体１１、１３間の開閉角度に応じて表示部１２、１４が表示する画像を変形する。
【００１６】
図３に示すように筐体１１と筐体１３とが１８０度開いている場合、筐体１１の表示部１２の表示面と筐体１３の表示部１４の表示面とは同一平面内に位置している。図４に示すように筐体１１及び筐体１３間の角度が１８０度を超える場合、表示部１２の表示面と表示部１４の表示面とはヒンジ部１７を境に屈折した状態となる。この屈折した状態において、表示部１２の画像と表示部１４の画像とを同時にスクロールさせるとユーザの目３１からはヒンジ部１７を境に異なった方向に画像がスクロールされているように視認される。この場合、画像を同一方向にスクロールするというユーザの操作感覚とユーザの視認感覚とに相違が発生してユーザに酔いが発生することがある。
【００１７】
そこで、制御部１６は図４に示すようにユーザの目３１から見て表示部１２が鎖線で示す位置（即ち、仮想の表示部１２ｉの位置）に存在すると視認できるように表示部１２の画像を変形する。即ち、制御部１６は開閉角度検出部１５が検出した開閉角度に応じて表示部１２の表示面と表示部１４の表示面とが同一平面上に位置しているようにユーザが視認できるように表示部１２及び表示部１４の画像の少なくとも一方を変形する。
【００１８】
上記の画像変形処理によって表示装置１はユーザに表示部１２の画像と表示部１４の画像とが連続した平面（即ち、１つの大きな画面）であると視認させることができる。これにより、ユーザの操作感覚と視認感覚とを一致させることができるので、２つの画面内で画像をスクロールするときにユーザに酔いが発生することを解消することができる。制御部１６は所定のプログラムを実行することで画像変形処理を実施する。画像変形処理の詳細については図５乃至図１６を参照して後述する。
【００１９】
本実施例の表示装置１は、図１乃至図４に示した構成に限定されるものではない。例えば、表示装置１に３つ以上の筐体を備えてもよい。或いは、表示装置１のヒンジ部１７にユーザの位置を検出する位置検出部としてカメラを設けてユーザの顔等を撮影する機能を有するようにしてもよい。更に、表示装置１はカメラで撮影した画像に基づいて検出したユーザの位置（或いは、ユーザの目の位置）に応じて画像変形処理を変更するようにしてもよい。
【００２０】
表示装置１において、表示部１２、１４にタッチパネルを一体として設けることでユーザの画面に対する操作を入力する装置を備えたり、表示部１２、１４とは別にスイッチやカーソルキー等の入力装置を備えたりしてもよい。或いは、表示装置１に加速度センサを備えて表示装置１の姿勢を検出する機能（姿勢検出部）を有するものとしてもよい。また、表示装置１に有線又は無線の通信装置を備え、外部装置から所望の情報を入手する機能を備えるようにしてもよい。更に、表示部１２、１４をフレキシブルディスプレイとして１つのフレキシブル基板上に一体として構成してもよい。
【００２１】
次に、図５乃至図７を参照して図１乃至図４に示した表示装置１を縦置姿勢にして筐体１１及び筐体１３間の角度を１８０度以上開いた状態における２画面に表示される画像の変形処理について説明する。図５は、基準位置Ｐ１ａ（即ち、表示装置１の正面）に位置しているユーザ３２ａの目から見た表示装置１の外観及び表示画像を模式的に示した図である。図６は、変形処理前の画像４１を示す図である。図７は、図５に示した表示画像をそのままにして筐体１１及び筐体１３間の角度を１８０度としたときの表示画像を示す図である。図５及び図７に示した表示装置１では、図１乃至図４で図示していないカメラ１８をヒンジ部１７の中央付近に備えている。図５に示す画像４１は平面画像４２とスクロールバーの画像（以下、スクロールバー４３と称する）とを含んでいる。画像４１は、スクロール操作の方向を示す矢印画像４４を平面画像４２に重畳させる形で含んでいる。また、スクロールバー４３はスクロールシャフト４３１及びスクロールボックス４３２を含んでいる。尚、平面画像４２には図面に向かって上方又は下方に連続する画像（不図示）が用意されている。
【００２２】
図５に示した変形処理後の画像は、表示装置１の下部筐体１１を台の上に置き、上部筐体１３の表示面がユーザ３２ａの目線と略直角となるように筐体１１、１３間の角度を１８０度以上に開いた状態において描いたものである。この場合、ユーザ３２ａは上部筐体１３の傾きを手動で自分の目線に合うように調整してもよい。制御部１６は、表示装置１が縦置姿勢と横置姿勢とで画像変形処理を切り替えて画像を変形する。ここでは、表示装置１の縦置姿勢における表示画像について説明しており、横置姿勢の表示画像については後述する。画像変形処理を切り替える際、制御部１６は加速度センサよりなる姿勢検出部（不図示）を用いて筐体１１、１３が縦置姿勢であることを検出してもよい。或いは、ユーザ３２ａが表示装置１に対して所定の操作を行なうことにより縦置姿勢であることを設定するようにしてもよい。
【００２３】
図５において、制御部１６は上部筐体１３の表示部１４に図６の平面画像４１の略上半分の画像４１ａを変形処理することなく表示する。また、制御部１６は下部筐体１１の表示部１２に上部筐体１３の表示画像４１ａと連続して同一平面内に視認し得るように平面画像４１の略下半分を変形した画像４１ｂを表示する。図５及び図７に示す表示画像では、変形処理後の画像４１ｂを太線の破線で囲んでいる。このとき、下部筐体１１の表示部１２の画面上の表示画像では図７に示すようにヒンジ部１７から下方向に遠ざかった位置ほど変形処理前の画像よりも内側に変形（即ち、圧縮）されている。即ち、制御部１６はヒンジ部１７（即ち、筐体１１、１３の開閉操作の中心）から上方向又は下方向に遠ざかる位置ほど横方向の圧縮率を大きくしている。更に、制御部１６は筐体１１、１３の開閉角度に応じて画像の圧縮率を変化させるように画像データをソフトウェアで制御する。
【００２４】
また、制御部１６はスクロール操作の方向をユーザが連続して視認し得るように変形処理した表示画像に応じて（即ち、画像の変形方向に沿って）変更する。図５及び図７において、矢印５１は画像変形処理後のスクロール方向を示し、矢印５２は画像変形処理前のスクロール方向を示している。制御部１６は、表示装置１が備える所定の操作部に対するユーザの所定の操作に応じて画像４１ａ、４１ｂをスクロールして表示する。本実施例に係る表示装置１では、操作部として表示部１２及び表示部１４に一体として形成したタッチパネルを備えている。この場合、図５及び図７の矢印５１で示すようにユーザの指によるタッチパネル上の接触位置がヒンジ部１７から上方向又は下方向に離れる位置ほど変形処理前の画像に対する接触位置よりも内側の位置となるような角度を付けた方向でスクロール操作することになる。この角度は、筐体１１及び筐体１３間の角度が大きいほど大きくなる。ここで、画像４１ａ又は画像４１ｂに含まれる矢印４４やスクロールバー４３はユーザに対して視覚的にスクロール操作の方向を報知する情報となる。この報知情報により、変形処理した画像の表示画面内においてもユーザは画面内のスクロール方向を容易に知ることができる。
【００２５】
変形処理後の画像４１ｂを表示部１２に表示する際に圧縮された画像４１ｂの両側に空いた表示スペース４５、４６（図５及び図７のハッチング領域参照）が形成されることになるが、制御部１６は表示部１２を制御して当該表示スペース４５、４６にガジェット（例えば、日時、天候を示す画像）を表示するようにしてもよい。ここで、ガジェットとは小型のアプリケーションを意味し、例えば、日時や天候等の情報を所定の時間間隔で更新しながら表示するソフトウェアである。例えば、表示部１２及び表示部１４が直下方式のＬＥＤバックライトを有する場合、制御部１６は表示スペース４５、４６の直下のバックライトを消灯するように表示部１２を制御してもよい。複数の空表示スペースが存在する場合、制御部１６はガジェットの表示とバックライトの消灯とを組み合わせて表示するようにしてもよい。或いは、バックライトは完全に消灯させずに減光させてもよい。即ち、制御部１６は画像変形処理の結果空いた表示スペースを所定のアプリケーション表示領域に設定したり、当該表示スペースを非表示させたりすることができる。
【００２６】
次に、図８乃至図１０を参照して図１乃至図４に示した表示装置１を横置姿勢にして筐体１１及び筐体１３間の角度を１８０度以上開いた状態における画像変形例について説明する。図８は、ユーザ３２の目から見た表示装置１の外観及び表示画像を模式的に示す図である。図９は、変形処理前の画像を示す図である。図１０は、図８に示した表示画像をそのままとして筐体１１及び筐体１３間の角度を１８０度に開いたときの表示画像を示す図である。図８乃至図１０に示した表示装置１には図１乃至図４の表示装置１で示していないカメラ１８をヒンジ部１７の中央付近に備えている。図９に示した画像６１は平面画像６２とスクロールバーを示す画像６３（以下、スクロールバー６３と称する）とを含んでいる。画像６１は、スクロール操作の方向を示す矢印画像６４を平面画像６２に重畳させる形で含んでいる。また、平面画像６２には図９に対して左方又は右方に連続する画像（不図示）が用意されている。
【００２７】
図８は、ユーザ３２の正面中央にヒンジ部１７が位置するように表示装置１を手で保持して筐体１１及び筐体１３間の角度を１８０度以上に開いた状態における表示画像を示している。ここでは、ヒンジ部１７がユーザ３２の目線と略直角となるように表示装置１が保持されている。制御部１６は、例えば、加速度センサからなる姿勢検出部（不図示）を用いて筐体１１及び筐体１３が横置姿勢であることを検出して、画像変形処理を縦置姿勢から横置姿勢へ切り替えて画像を変形する。
【００２８】
図８において、制御部１６は左側筐体１３の表示部１４に図９に示した平面画像４１の略左半分を変形した画像６１ａを表示する。また、制御部１６は右側筐体１１の表示部１２に平面画像４１の略右半分を画像６１ａと連続して視認できるように変形した画像６１ｂを表示する。図８及び図１０では、変形処理後の画像６１ａ及び６１ｂを太線の破線で囲んでいる。
【００２９】
表示装置１を横置姿勢とした場合、制御部１６は図８に示すように左画像６１ａ及び右画像６１ｂを同じ角度だけ変形処理する。即ち、制御部１６は左画像６１ａ及び右画像６１ｂが連続した平面画像として視認できるように変形処理を施して筐体１３の表示部１４及び筐体１１の表示部１２に表示する。このとき、図８及び図１０に示すように左画像６１ａ及び右画像６１ｂにおいてヒンジ部１７から遠ざかった位置ほど変形処理前の画像６１に比べて内側に変形（又は、圧縮）されている。即ち、制御部１６はヒンジ部１７から水平方向に遠ざかる位置ほど縦方向の圧縮率を大きくしている。また、制御部１６は筐体１１及び筐体１３間の開閉角度に応じて画像の圧縮率を変化させるようにソフトウェア制御している。
【００３０】
また、表示装置１の縦置姿勢の場合と同様に横置姿勢においても、制御部１６はスクロール操作の方向を左右方向に連続した平面画像として視認されるように変形処理を行なった画像に応じて変更する。図８及び図１０に矢印５３で示すように、タッチパネル上のユーザの指の接触位置はヒンジ部１７から左右方向に離れる位置ほど画像変形処理前の接触位置（即ち、矢印５４で示す方向）よりも内側の位置となるように角度をつけた方向でスクロールすることとなる。この角度は筐体１１及び筐体１３間の角度が大きいほど大きくなる。また、制御部１６はスクロール操作の方向を報知するための情報（即ち、矢印６４やスクロールバー６３等）を表示する。これにより、ユーザは変形処理を施した画像を表示する画面内においてもスクロール方向を認識することができる。変形処理を施した画像６１ａ及び画像６１ｂを画面表示する際に、その上下部分に空いた表示スペース６５〜６８が形成される。このとき、制御部１６は表示スペース６５〜６８においてガジェット（例えば、日時や天候などを示す画像）を表示してもよく、或いは、バックライトを消灯してもよい。
【００３１】
次に、図５及び図１１乃至図１３を参照して、基準位置Ｐ１ａに位置するユーザ３２ａが位置Ｐｂ１又は位置Ｐｂｃへ移動した場合に、制御部１６がカメラ１８を用いて検出したユーザの位置に応じて画像変形処理に対する補正処理について説明する。図５に示すように、ユーザの目或いは顔が基準位置Ｐ１ａからスクロール方向（矢印５１の方向）と直交する方向に移動して位置Ｐ１ｂ又は位置Ｐ１ｃへ移った場合について考察する。この場合、位置Ｐ１ｂ又Ｐ１ｃへ移動したユーザ３２ｂ又は３２ｃからは表示部１２、１４に表示された画像がヒンジ部１７において横方向に屈折してしまい、連続した平面画像として視認できなくなる。図１３の左側において、位置Ｐ１ｂのユーザ３２ｂからみた表示装置１の表示部１４、１２に表示される画像４１ｃ、４１ｄ（即ち、補正前の画像）を示す。また、図１３の右側において、位置Ｐ１ｂのユーザ３２ｂからみた表示装置１の表示部１４、１２に表示される画像４１ｅ、４１ｆ（即ち、補正後の画像）を示す。表示部１４の画像４１ｃは図５の画像４１ａをユーザ３２ｂからみた画像であり、画像４１ｄは図５の画像４１ｂをユーザ３２ｂからみた画像である。ユーザ３２ａが基準位置Ｐ１ａから位置Ｐ１ｂへ移動したことにより、移動後のユーザ３２ｂからみた画像４１ｃ及び画像４１ｄは不連続なものとして視認される。そこで、制御部１６はカメラ１８の撮影情報に基づいて連続して平面画像として視認し得る画像４１ｅ及び画像４１ｆを生成する。この場合、制御部は画像４１ｃ、４１ｄを補正して画像４１ｅ、４１ｆを生成してもよく、或いは、元の画像４１を変形して画像４１ｅ、４１ｆを生成してもよい。
【００３２】
図１３に示す補正処理を実行する場合、制御部１６はヒンジ部１７に備え付けたカメラ１８を用いてユーザの顔（或いは、ユーザの目）の位置をカメラ１８から供給される角度情報に基づいて算出する。即ち、カメラ１８は撮影した画像から顔認識や目の認識処理を行ない、ユーザの顔や目の位置を表す角度情報を電気信号として制御部１６に供給する。制御部１６は、予め用意しておいた所定の設定情報を用いて角度情報に合わせて画像データに対して変形処理（又は補正処理）を行なう。ここで、所定の設定情報とは表示装置１からユーザまでの距離の初期値、或いは、撮像したユーザの顔等の情報からユーザまでの距離を算出するための情報をいう。次に、図１１及び図１２を参照してカメラ１８を用いてユーザ３３ａ〜３３ｃの目の位置を示す角度情報を検出する方法について説明する。図１１は、カメラ１８からみたユーザ３３ａ〜３３ｃの位置を模式的に示した図である。図１２は、カメラ１８により撮像したユーザ３３ａ〜３３ｃの画像７１を模式的に示した図である。図１１及び図１２において、ユーザ３３ａ〜３３ｃの位置が図５のユーザ３２ａ〜３２ｃの位置にそれぞれ対応している。
【００３３】
図１１では、カメラ１８が撮影できる横方向の角度範囲（即ち、画角）を８０度としている。この場合、カメラ１８が撮像した画像７１は図１２に示すように中央位置を「０度」として左右に４０度ずつの範囲の画像となる。図１２はカメラ１８の画角を数直線で示しており撮像したユーザ３３の目又は顔の位置を左４０度から右４０度の範囲において１０度刻みの位置として検出する。即ち、９ポイントの位置が数直線上に設定されている。図１２の場合、ユーザ３３の目又は顔の位置は数直線上の左から２番目、５番目、８番目に存在している。即ち、カメラ１８はユーザ３３ｃの位置を「左３０度」、ユーザ３３ａの位置を「０度」、ユーザ３３ｂの位置を「右３０度」として検出する。カメラ１８は、その角度情報を電気信号として制御部１６に供給する。制御部１６は、角度情報に合わせて画像４１ｃ、４１ｄを補正して画像４１ｅ、４１ｆとするようなソフトウェア制御を実行する。
【００３４】
次に、図８及び図１４乃至図１６を参照して、基準位置Ｐ２ａに位置するユーザ３２が位置Ｐ２ｂ又は位置Ｐ２ｃへ垂直に移動した場合において、制御部１６がカメラ１８を用いて検出したユーザ３２の位置に応じて変形処理に対して実行する補正処理について説明する。図１１乃至図１３を参照して図５に示す縦置姿勢の表示装置１について説明したが、図１４乃至図１６を参照して図８に示す横置姿勢の表示装置１についても同様に説明する。
【００３５】
図８に示したように、ユーザ３２の目又は顔が基準位置Ｐ２ａからスクロール方向（矢印５３の方向）と直交する方向に移動して位置Ｐ２ｂ又は位置Ｐ２ｃへ移った場合について考察する。この場合、移動後のユーザ３２からみて表示部１４及び表示部１２に表示された画像がヒンジ部１７において縦方向に屈折してしまい、連続した平面画像として視認できなくなる。図１６の左側に位置Ｐｂ２へ移動したユーザ３５ｂからみた画像６１ｃ及び画像６１ｄ（即ち、補正前の画像）を模式的に示す。画像６１ｃは位置Ｐｂ２のユーザ３５ｂからみた表示部１４の画像６１ａであり、画像６１ｄはユーザ３５ｄからみた表示部１２の画像６１ｂである。補正前の画像６１ｃ及び画像６１ｄは不連続な平面画像として視認される。図１６の右側にユーザ３５ｂからみた画像６１ｃ及び画像６１ｄを補正した画像６１ｅ及び画像６１ｆを示す。制御部１６は、カメラ１８の撮影情報に基づいて画像６１ｃ及び画像６１ｄを補正してユーザ３５ｂからみて連続した平面画像として視認し得るような画像６１ｅ及び画像６１ｆとする。
【００３６】
図１６に示した補正処理を実行する際、制御部１６はヒンジ部１７に備え付けているカメラ１８を用いてユーザの目又は顔の位置を示す角度情報を取得する。すなわち、カメラ１８は撮影画像から顔認識や目の認識処理を行い、ユーザの顔又は目の位置を示す角度情報を電気信号として制御部１６に供給する。制御部１６は、その角度情報に合わせて画像を補正又は変形する。図１４及び図１５を参照してカメラ１８を用いてユーザ３４ａ〜３４ｃの目の位置を示す角度情報の検出方法について説明する。図１４は、カメラ１８からみたユーザ３４ａ〜３４ｃの位置を模式的に示す。図１５は、カメラ１８からみたユーザ３４ａ〜３４ｃを撮影した画像７２を模式的に示す。図１４及び図１５においてユーザ３４ａ、３４ｂ、３４ｃの位置は図８に示す位置Ｐ２ａ、Ｐ２ｂ、Ｐ２ｃにそれぞれ対応している。
【００３７】
図１４では、カメラ１８が撮影できる縦方向の角度の範囲（即ち、画角）を４０度に設定している。この場合、カメラ１８で撮影した画像７２は図１５に示すように中央を「０度」として上下に２０度ずつの範囲となる。図１５では、ユーザの顔又は目の位置を数直線上に上２０度から下２０度まで１０度刻みに設定している。このため、数直線上には５ポイントの位置が設定されている。図１５では、ユーザの顔又は目の位置は数直線の上から２番目、３番目、４番目に描かれているため、カメラ１８はそれぞれ上１０度、０度、下１０度として検出する。カメラ１８は、その角度情報を電気信号として制御部１６へ供給する。制御部１６は、角度情報に合わせて図１６に示すように画像６１ｃ及び画像６１ｄを画像６１ｅ及び画像６１ｆへソフトウェア制御で補正する。
【００３８】
以上のように、本実施例の表示装置１では表示部１２及び表示部１４を用いて１つの平面画像を合成する場合、ユーザの目から見て連続した平面画像として視認できるように２つの画像を変形処理する。これにより、本実施例の表示装置１では２画面の同時スクロール操作の際に生じるユーザの酔いを解消することができる。
【００３９】
本発明は、上述の実施例に限定されるものではない。例えば、表示装置にカメラを複数台設けたり、音波や赤外線を用いた測距装置を設けたりすることでユーザの位置を角度と距離で検出し、当該検出位置に応じて画像を変形するようにしてもよい。また、表示装置に対するユーザの水平方向移動と垂直方向移動とを組み合わせてスクロール方向に対して斜め方向の位置変化に合致するように画像補正を行うこともできる。尚、本発明に係る表示装置は１又は複数のコンピュータとプログラムとを用いて構成することができ、当該プログラムはコンピュータ読取可能な記録媒体や通信回線を介して提供することができる。
【産業上の利用可能性】
【００４０】
本発明は、複数の画面を合成して１つの連続した平面画像を表示する表示装置に適用されるものであり、電子ブックや折畳み式情報端末において開閉角度や視聴位置に応じてユーザから見て自然に視認されるように複数の画像を結合することができる。
【符号の説明】
【００４１】
１    表示装置
１１、１３    筐体
１２、１４    表示部
１５    開閉角度検出部
１６    制御部
１７    ヒンジ部
１８    カメラ
【図１】
2015053188.tif 000003
【図２】
2015053188.tif 000004
【図３】
2015053188.tif 000005
【図４】
2015053188.tif 000006
【図５】
2015053188.tif 000007
【図６】
2015053188.tif 000008
【図７】
2015053188.tif 000009
【図８】
2015053188.tif 000010
【図９】
2015053188.tif 000011
【図１０】
2015053188.tif 000012
【図１１】
2015053188.tif 000013
【図１２】
2015053188.tif 000014
【図１３】
2015053188.tif 000015
【図１４】
2015053188.tif 000016
【図１５】
2015053188.tif 000017
【図１６】
2015053188.tif 000018
【国際調査報告】
2015053188.tif 000019
2015053188.tif 000020
2015053188.tif 000021
2015053188.tif 000022